(57)【要約】【課題】付勢部材の組み付け時に作業者が工具等を使用せずに簡便な組み付けが可能で、付勢部材の導電部材に対する押圧力（接触力）を安定させ、静電気などの外来ノイズに影響を受けにくい構造の電子機器を提供する。【解決手段】撮像装置は、前カバー１、電池ケース２１、グランド板金２５、電池蓋ユニット２６を備える。電池蓋ユニット２６において、捩じりコイルバネ３３は、導電性を有し、第１の端部３３ｂがスライダプレート３２に係合すると共に第２の端部３３ｃが電池ケース２１に係合し、電池蓋３１を電池室に対して開き方向に付勢する。捩じりコイルバネ３３の第２の端部３３ｃに、グランド板金２５を押圧することで電気的に接続される接触部３３ｄを有する。捩じりコイルバネ３３の接触部３３ｄがグランド板金２５を押圧する方向と、捩じりコイルバネ３３が電池蓋３１に作用する付勢力を得るためのチャージ方向とを異ならせる。【選択図】図１
2010049177.tif 000002
【特許請求の範囲】
【請求項１】
本体部材と前記本体部材の開放部を覆うカバー部材とから構成される収納部を備えた電子機器において、
導電性を有し、前記本体部材に回動軸を介して回動可能に支持され、前記収納部に対して開閉可能な蓋部材と、
導電性を有し、前記カバー部材に取り付けられた導電部材と、
導電性を有し、一方の端部が前記本体部材に係合すると共に他方の端部が前記蓋部材に係合し、前記蓋部材を前記収納部に対して開き方向に付勢する付勢部材と、を備え、
前記付勢部材の前記一方の端部に、前記導電部材を押圧することで電気的に接続される接触部が形成され、
前記付勢部材の前記接触部が前記導電部材を押圧する方向と、前記付勢部材が前記蓋部材に作用する付勢力を得るためのチャージ方向とを異ならせることを特徴とする電子機器。
【請求項２】
前記付勢部材の前記接触部が前記導電部材を押圧する方向は、前記蓋部材の前記回動軸の軸方向と等しい方向であることを特徴とする請求項１記載の電子機器。
【請求項３】
前記本体部材に、前記付勢部材の前記一方の端部が係合する係合部が形成され、
前記本体部材の前記係合部は、前記カバー部材により覆われる側が開放されていることを特徴とする請求項１記載の電子機器。
【請求項４】
前記付勢部材の前記一方の端部に、前記蓋部材の前記回動軸の軸方向と直交する方向に延出された第１の部分と、前記第１の部分の末端から前記カバー部材に向けて曲げられる第２の部分とが形成され、
前記付勢部材の前記接触部は、前記第２の部分の末端に形成されることを特徴とする請求項１記載の電子機器。
【請求項５】
前記付勢部材の前記接触部は、曲率を有する形状に折り曲げられることを特徴とする請求項４記載の電子機器。
【請求項６】
前記電子機器は、撮像装置を含むことを特徴とする請求項１乃至５のいずれかに記載の電子機器。
【発明の詳細な説明】
【技術分野】
【０００１】
本発明は、機器本体と該機器本体に開閉可能に取り付けられる蓋部材との電気的導通が可能な電子機器に関する。
【背景技術】
【０００２】
従来、電源供給により駆動する電気部品を備えるデジタルカメラ等の撮像装置には、電池蓋が開閉可能に取り付けられた電池収納用の電池ケースが設けられている。撮像装置に装備される電池蓋開閉機構としては、電池蓋を回転軸を中心に回動させて開閉動作を行う機構がよく用いられている。その際、電池蓋を開き方向へ付勢するための手段としてトーションバネが用いられることがある。
【０００３】
上記トーションバネの組み付けに関しては次の技術が提案されている（例えば、特許文献１参照）。特許文献１には、トーションバネのコイル部内径部を回転軸の外形部（周壁部）で保持し、トーションバネの一方の腕（固定部）を係止用のリブや穴に引っ掛けて仮保持しながら、もう一方の腕（作動部）を本体の係止部に引っ掛ける構成が開示されている。
【０００４】
図１９は、従来例に係る撮像装置の電池蓋を閉じた状態を示す斜視図である。図２０は、撮像装置の電池蓋を開いた状態を示す斜視図である。尚、図１９及び図２０では電池蓋の開閉に関係のある部品のみ示している。
【０００５】
図１９、図２０において、撮像装置（デジタルカメラ）のロック解除レバーを操作し、電池蓋２００をスライドすると、電池蓋２００は、導電性を有する捩じりコイルバネ２０３の付勢力により図１９の状態から図２０の状態に自動的に回動する。非導電性の樹脂からなる電池室２０４は、撮像装置の主構造体としての役割を有する。導電性を有する金属シャーシ２０１と電池室２０４は、不図示の箇所で互いに位置決めされ固定されている。電池蓋２００の構成部品である導電性を有するスライダプレート２０２は、電池室２０４に対し軸部材により軸支されており、捩じりコイルバネ２０３により常に開き方向（図２０の状態が開）へ付勢されるよう構成されている。
【０００６】
デジタルカメラ等の撮像装置や各種の電子機器は、外来ノイズすなわち静電気などが外部から侵入した場合でも、機器が破損したり異常動作が起きたりしないよう様々な配慮がなされている。特に電気的に浮遊した金属部品（グランドに接続されていない金属部品）に静電気が印加された場合は、静電気が一定量帯電した後に他の電気部品やプリント配線基板などに２次放電を起こすことがある。この際に発生する予期せぬ電気的なノイズにより、機器の破損や異常動作を起こす可能性がある。
【０００７】
上述したことから、撮像装置では、電池蓋２００の構成部品である導電性のスライダプレート２０２を、導電性を有する捩じりコイルコイルバネ２０３を介して導電性を有する金属シャーシ２０１に当接させることで電気的に接続するよう構成している。
【特許文献１】特開２０００-９２０２号公報
【発明の開示】
【発明が解決しようとする課題】
【０００８】
しかしながら、上記の特許文献１に記載されたトーションバネの組み付け方法には次のような問題がある。トーションバネを組み付ける際、トーションバネの仮保持されない側の腕をバネ圧に逆らいながら、たわませて本体の係止部に引っ掛ける作業が必要となる。そのため、組立作業者はピンセットなどの工具を使用してトーションバネの組み付けを行わなければならず、組立作業性の面で問題がある。
【０００９】
他方、上記の図１９及び図２０に示した撮像装置（デジタルカメラ）の電池蓋開閉機構には次のような問題がある。電池蓋２００を回動させて開閉動作を行う機構において、捩じりコイルバネ２０３の一方の端部２０３ａを金属シャーシ２０１と電池室２０４とから形成された溝部に挿入し、装置本体と係合させている。しかし、捩じりコイルバネ２０３の端部２０３ａの挿入が面倒で、組立作業に手間が掛かるという問題がある。
【００１０】
更に、スライダプレート２０２と金属シャーシ２０１を電気的に接続するために、捩じりコイルバネ２０３の端部２０３ａを金属シャーシ２０１の内壁面に接触させている。この場合、捩じりコイルバネ２０３の端部２０３ａの金属シャーシ２０１に対する押圧力（接触力）は、電池蓋２００を開方向へ付勢する捩じりコイルバネ２０３の付勢力を利用している。そのため、電池蓋２００が閉じた状態と開いた状態とでは押圧力（接触力）が変化してしまい、安定しないという問題がある。
【００１１】
本発明の目的は、付勢部材の組み付け時に作業者が工具等を使用せずに簡便な組み付けが可能で、付勢部材の導電部材に対する押圧力（接触力）を安定させ、静電気などの外来ノイズに影響を受けにくい構造の電子機器を提供することにある。
【課題を解決するための手段】
【００１２】
上述の目的を達成するために、本発明は、本体部材と前記本体部材の開放部を覆うカバー部材とから構成される収納部を備えた電子機器において、導電性を有し、前記本体部材に回動軸を介して回動可能に支持され、前記収納部に対して開閉可能な蓋部材と、導電性を有し、前記カバー部材に取り付けられた導電部材と、導電性を有し、一方の端部が前記本体部材に係合すると共に他方の端部が前記蓋部材に係合し、前記蓋部材を前記収納部に対して開き方向に付勢する付勢部材と、を備え、前記付勢部材の前記一方の端部に、前記導電部材を押圧することで電気的に接続される接触部が形成され、前記付勢部材の前記接触部が前記導電部材を押圧する方向と、前記付勢部材が前記蓋部材に作用する付勢力を得るためのチャージ方向とを異ならせることを特徴とする。
【発明の効果】
【００１３】
本発明によれば、付勢部材の接触部が導電部材を押圧する方向と、付勢部材が蓋部材に作用する付勢力を得るためのチャージ方向とを異ならせる構成としている。そのため、付勢部材における、本体部材に対する回動力（付勢力）とは別に、導電部材に対する接触力を設定することが可能となる。また、付勢部材と蓋部材を電子機器本体に組み付ける際に、付勢部材には付勢力が発生しない。これにより、付勢部材の組み付け時に作業者が工具等を使用せずに簡便な組み付けが可能となり、導電部材に対する押圧力（接触力）を安定させ、静電気などの外来ノイズに影響を受けにくい構造の電子機器を提供することが可能となる。
【発明を実施するための最良の形態】
【００１４】
以下、本発明の実施の形態を図面に基づいて説明する。
【００１５】
まず、本発明の実施の形態に係る撮像装置の電池蓋保持開閉機構を説明する前に撮像装置の全体構成について図２及び図３を参照しながら説明する。
【００１６】
図２は、本実施の形態に係る撮像装置の構成部品を正面側から見た場合の分解斜視図である。図３は、撮像装置の構成部品を背面側から見た場合の分解斜視図である。
【００１７】
図２、図３において、撮像装置（カメラ）は、前カバー１、後カバー３、金属シャーシ６、鏡筒ユニット１１、電池ケース２１、グランド板金２５、電池蓋ユニット２６等を備えている。電池蓋保持開閉機構を構成する電池蓋ユニット２６の詳細は後述する。
【００１８】
撮像装置の筐体は、大きく分けて前カバー１及び後カバー３の２枚のカバー構成となっている。前カバー１（カバー部材）は、撮像装置の正面側を覆う部材であり、後カバー３は、撮像装置の背面側を覆う部材である。本実施の形態では、前カバー１及び後カバー３共に樹脂部材（例えばＰＣ（ポリカーボネート））により形成されている。尚、前カバー１及び後カバー３の強度の向上のために、前カバー１及び後カバー３をガラス繊維などの強化材料を含有した材料により形成してもよい。
【００１９】
また、前カバー１には、化粧リング２が貼り合わされており、外観意匠性を高めている。また、前カバー１には、ファインダ対物窓１ａが設けられている。また、前カバー１には、導電性を有するグランド板金２５（導電部材）が取り付けられている。グランド板金２５は、後述する捩じりコイルバネ３３（図１５等参照）の端部に当接する共に、金属シャーシ６にも接触するように構成されている。
【００２０】
後カバー３には、大きな矩形状の穴３ａが設けられている。後カバー３の穴３ａには、略無色透明の窓部材４が後カバー３の外側から穴３ａを塞ぐように両面テープにより接着固定される。本実施の形態では、窓部材４は、その透明度と強度の面からＰＭＭＡ（アクリル）を使用している。尚、窓部材４の形成材料としては、加工性を重視すればＰＣ（ポリカーボネート）という選択肢もあるが、表面強度が若干弱いという面がある。また、強度を重視すれば強化ガラスという選択肢もあるが、コスト高となる点や破損した際の問題がある。
【００２１】
窓部材４の裏面には枠状に目隠し印刷を施し、その目隠し印刷された部分にロの字状に両面テープを貼り付けた後、後カバー３に接着固定している。尚、接着強度が保てれば、窓部材４の４辺を接着する必要はなく２辺もしくは３辺でもよい。また、窓部材４には、反射防止コート、表面を硬化させるハードコート、汚れを落とし易くするために防汚コート、静電気によるゴミの付着を抑制する帯電防止コートなどが施されている。
【００２２】
後カバー３の側部には、メイン配線基板５１に実装された外部電源コネクタ５３及びＵＳＢコネクタ５４をカバーするためのジャックカバー１１０が設けられている。ジャックカバー１１０は、比較的柔らかい樹脂により形成されており、そのヒンジ部は容易に折り曲げが可能なように構成されている。
【００２３】
また、後カバー３の内壁面側から外壁面側（外観側）に向かって、ストラップベース１１３が嵌め込まれている。ストラップベース１１３は、後から、前カバー１及び後カバー３と共に外観ねじにより共締め固定されるよう構成されている。尚、ストラップベース１１３は、比較的強度が高い樹脂もしくはダイカストにより形成されている。ストラップベース１１３には、撮像装置の誤落下防止用のリストストラップを通すための紐通し穴が設けられている。
【００２４】
金属シャーシ６は、撮像装置本体の剛性を高めるための部材であり、鏡筒ユニット１１やファインダユニット１４等の各種ユニットと、前カバー１や後カバー３等の外装カバー類を固定している。金属シャーシ６は、強度の高いＳＵＳ（ステンレス）が使用されることが多いが、強度の必要性があまり高くなければ一般の鋼材でもよい。尚、金属シャーシ６は、グランド板金２５やプリント配線基板などと接触し電気的に導通をとるため、表面抵抗が比較的小さいものを使用している。
【００２５】
鏡筒ユニット１１は、撮影レンズ等を保持する鏡筒を備えるユニットである。鏡筒ユニット１１には、鏡筒を駆動するためのズームモータを装備したギヤユニット１３が一体的に組み付けられている。鏡筒ユニット１１は、３本のねじ１２により金属シャーシ６に固定される。ファインダユニット１４は、撮影範囲の決定に用いられるユニットであり、その上面からねじにより鏡筒ユニット１１に固定される。
【００２６】
電池ケース２１は、電池（不図示：例えば単３型乾電池）を保持するためのものであり、ねじ２２ａ及び２２ｂにより金属シャーシ６に固定される。電池ケース２１には、壁の一部を除去して形成された開放部が設けられている。電池ケース２１の前記開放部は、組立時に前カバー１により覆われる。前カバー１に電池ケース２１の一部の機能を併せ持たせ、前カバー１と電池ケース２１を組み合わせることで電池室（収納部）を構成している。
【００２７】
電池ケース２１の上方には、板バネから構成された２つ（＋極用、−極用）の電池接片（図１０参照）が配置されている。２つの電池接片は、それぞれの一部が電池ケース２１に設けられた貫通穴を挿通されており、メイン配線基板５１に半田付けで接続できるように構成されている。また、電池ケース２１には、撮像装置外部に露出した三脚座部分と電池蓋３１を軸支する部分が一体的に形成されている。このように、電池ケース２１は、比較的強度が必要な部分が多いため、ガラス繊維を含有したＰＣ（ポリカーボネート）により形成されている。
【００２８】
電池蓋ユニット２６（蓋部材）は、電池ケース２１（本体部材）に回動軸を介して回動可能に支持（軸支）され、電池ケース２１に対して開閉可能に構成されている（図６参照）。電池蓋ユニット２６を開いた状態（図６参照）では、電池及び後述する外部メモリ（記録媒体）の着脱が可能なように構成されている。電池蓋ユニット２６は、電池蓋３１、開閉用板金であるスライダプレート３２、捩じりコイルバネ３３、樹脂製のインナー部材３４、金属製の電池接片３５、逆装填による短絡を防止する絶縁用のガード部材３６、ロックレバー３７を備えている（図１０参照）。電池蓋ユニット２６の詳細は後述する。
【００２９】
ストロボユニット４１は、側面からねじ４５により金属シャーシ６に固定されるユニットであり、ストロボ発光部４２を備える。ストロボユニット４１のストロボ発光部４２の裏面側には、ストロボ回路を実装したストロボ配線基板４３がねじ止めにより固定されると共に、ストロボコンデンサ４４が固定される。ストロボユニット４１は、鏡筒ユニット１１に組み付けられたギヤユニット１３の上方に配置され、効率良いレイアウトを実現している。
【００３０】
メイン配線基板５１には、ＣＰＵ、メモリ、画像処理ＬＳＩ、電源回路が実装されると共に、映像や音声を保存する外部メモリを収納するメモリカードスロット５２、外部電源コネクタ５３、ＵＳＢコネクタ５４が実装されている。メイン配線基板５１は、ねじ５５ａ及び５５ｂにより金属シャーシ６にねじ止めされ、ねじ５５ｃにより補助金具６５に固定される。補助金具６５は、電池ケース２１に対し位置決めされると共に、ねじにより固定される。
【００３１】
電池ケース２１の前面側には、マイクロフォン（以後、マイク）６６が配置されている。マイク６６は、ゴム製のマイクブッシュが被せられており、リード線によりメイン配線基板５１に接続されている。マイク６６に被せられたマイクブッシュは、前カバー１により圧縮されて撮像装置本体の内部の雑音を遮蔽し、集音効率を高める機能を有する。
【００３２】
上面フレキシブル配線基板６１には、レリーズスイッチ、電源スイッチ、ＡＦ補助光用の発光ダイオード（以後、ＬＥＤ）、後述のモードダイヤルの回動位置に対応したモード検出用のダイヤルパターンが実装されている。上面フレキシブル配線基板６１の一方の端部には、操作配線基板７１が接続されると共に、操作配線基板７１を介してメイン配線基板５１に電気的に接続される。上面フレキシブル配線基板６１のもう一方の端部には、ストロボ配線基板４３が接続される。
【００３３】
トッププレート６２は、上面フレキシブル配線基板６１に対し両面テープにより接着されており、上面フレキシブル配線基板６１の強度向上の目的で設置されている。トッププレート６２は、上面フレキシブル配線基板６１の電磁シールドの役目も担っており、側面の補助金具６５と、後述する金属からなるＬＣＤホルダ１２２とに接触すると共に、ねじにより固定されている。
【００３４】
スピーカ６８は、スピーカホルダ６９に対し両面テープにより固定されている。スピーカ６８のリード線は、操作配線基板７１に接続される。また、スピーカ６８の前面には、ドーナツ型の弾性体が貼り付けられている。スピーカ６８に貼り付けられた弾性体は、後カバー３に圧接されることで、スピーカ６８の音漏れを防止し音響性能を向上させている。
【００３５】
操作配線基板７１において、撮像装置背面側の面にはスイッチとＬＥＤが実装され、その実装面と反対側の面にはボードツーボードコネクタが実装されている。操作配線基板７１は、ボードツーボードコネクタを介してメイン配線基板５１に電気的に接続される。操作配線基板７１は、取り付け金具７５と補助金具６５に接地され、樹脂製のインナー部材５６の上からねじ７６ａ、７６ｂによりねじ止めされるよう構成されている。操作配線基板７１のメイン配線基板５１に対する位置決めは、ボードツーボードコネクタのみで決定され、他に位置決め穴や位置決め軸によるものは無い。これは、２重に嵌合してボードツーボードコネクタの接点部を損傷することを防止するためである。
【００３６】
操作配線基板７１の上記インナー部材５６に対するねじ７６ａ、７６ｂによる固定は、ボードツーボードコネクタにより位置決めされた操作配線基板７１を撮像装置の光軸方向のみにおいて固定することが目的である。操作配線基板７１にねじ締め付け時のトルクを与えないよう、インナー部材５６を介在させてねじ７６ａ、７６ｂを締めるようにしている。これにより、操作配線基板７１はボードツーボードコネクタに負荷をかけない良好な固定が可能となる。
【００３７】
後カバー３には、各種操作ボタン８２の位置決め取り付け部、ファインダユニット１４の接眼窓部となる穴３ｂ、スピーカ６８の音孔３ｃが一体的に形成されている。撮像装置の背面側に配置される各種操作ボタン８２のうちの１つは、その中心部に導光部材８３が貼り付けられた発光ボタン８２ａである。発光ボタン８２ａは、操作配線基板７１に実装されたタクトスイッチ７２を導光部材８３により押せるように構成されている。
【００３８】
タクトスイッチ７２の下方には、ＬＥＤ７３が配置されている。ＬＥＤ７３から発した光が導光部材８３を通して発光ボタン８２ａの表面に導かれる。その他のボタン（十字ボタン）は、樹脂からなる各種操作ボタン８２の樹脂腕により吊られており、操作配線基板７１に実装されたスイッチを押せるよう構成されている。再生ボタン８２ｂは、撮像装置において撮影済みの画像を表示部に表示する際に押下する。また、再生ボタン８２ｂは、撮像装置を後述する記録モードから再生モードに遷移させる際に押下する。
【００３９】
モードダイヤル６３は、静止画撮影、動画撮影、各種シーンモードが回動位置に応じて割り当てられており、例えば撮像装置が記録モードにある場合に該モードダイヤル６３を回動させる操作により記録モードを変更することができる。モードダイヤル６３は、クリックバネ（不図示）により付勢されることで停止しており、一定のトルクで次の回動位置へ回動可能に構成されている。
【００４０】
また、モードダイヤル６３には、モードダイヤル６３の回動に連動する接点ブラシ及び該接点ブラシを溶着したブラシホルダ（不図示）が位置決めされると共に、ねじにより固定されている。操作者の操作によるモードダイヤル６３の回動に伴い、接点ブラシが上面フレキシブル配線基板６１のモード検出用のダイヤルパターンを短絡させる。これにより、モードダイヤル６３がどの回動位置に停止しているかを撮像装置本体側で判別することが可能となっている。
【００４１】
前カバー１は、ズームレバー１０２、レリーズボタン１０３、電源ボタン１０４を保持している。撮像装置が組み立てられた状態で、前カバー１に保持されたズームレバー１０２、レリーズボタン１０３、電源ボタン１０４をそれぞれ操作した際に、上面フレキシブル基板６１に実装された対応する電子部品（スイッチ）を押すように構成されている。
【００４２】
ＬＣＤユニット１２１は、２枚のガラスを構成部材としたＬＣＤパネルと、ＬＥＤを光源としたバックライト部とから構成された表示ユニットである。ＬＣＤユニット１２１におけるメイン配線基板５１寄りの辺の略中央部からは、ＬＣＤパネルにＡＣＦ（Anisotropic Conductive Film：異方性導電フィルム）接続されたフレキシブル配線基板（ＦＰＣ）１２１ａが延出されている。延出されたＦＰＣ１２１ａは、ＬＣＤホルダ１２２の一部に形成された穴（不図示）を通り抜け、メイン配線基板５１に接続される。ＬＣＤユニット１２１の上記辺からＦＰＣ１２１ａを延出することが、撮像系の信号との干渉等の影響を受けにくいことが実験から得ている。
【００４３】
ＬＣＤユニット１２１とＬＣＤホルダ１２２との係合は、ＬＣＤユニット１２１から突出状態に設けられた爪部が、ＬＣＤホルダ１２２の穴に嵌合することにより行われる。尚、ＬＣＤユニット１２１の構成部材である上ベゼル１２１ｂとＬＣＤホルダ１２２は、ＬＣＤホルダ１２２に部分的に設けられた板バネ部１２２ａが上ベゼル１２１ｂに当接することで、グランド（電気的接続）をとっている。
【００４４】
ＬＣＤホルダ１２２は、ＳＵＳ等の比較的強度の高い板金から構成されており、ＬＣＤユニット１２１の底面及び４つの側面を覆う形状に形成されている。ＬＣＤホルダ１２２におけるＬＣＤユニット１２１の４つの側面を覆うように構成された立ち壁部は、ＬＣＤユニット１２１の厚みよりも若干高めに形成されている。これにより、後カバー３に加わった外力が、ＬＣＤユニット１２１ではなくＬＣＤホルダ１２２に伝達されるようになっている。
【００４５】
ＬＣＤホルダ１２２は、金属シャーシ６に対し位置決めされると共に２本のねじにより締結されることで固定される。ＬＣＤホルダ１２２の背面（ＬＣＤユニット１２１に対向する面とは反対側の面）のうち大部分は、金属シャーシ６に接地（面接触）されている。他方、ＬＣＤホルダ１２２の背面のうちメイン配線基板５１にかかる部分においては、上端部及び下端部にＬＣＤホルダ１２２への電池ケース２１の取付部を設けており、その間の中央部付近は宙に浮いている状態になっている。これらの強度不足を補強するために、ＬＣＤホルダ１２２のメイン配線基板５１側の立ち壁部にはヘミング曲げ（１８０度曲げ）を施し、強度向上を図っている。
【００４６】
次に、撮像装置の電池蓋保持開閉機構を構成する電池蓋ユニット２６の開閉動作について図４、図５、図６を参照しながら説明する。
【００４７】
図４は、電池蓋ユニットを閉じた状態を示す部分斜視図である。図５は、電池蓋ユニットをスライドさせた状態を示す部分斜視図である。図６は、電池蓋ユニットを開いた状態を示す部分斜視図である。
【００４８】
図４、図５、図６において、電池蓋ユニット２６を開ける場合の動きは、操作者の操作及び電池蓋保持開閉機構の動作により、閉状態→手動ロック解除→手動スライド→自動回動→開状態の順となる。まず、操作者が図４の閉じた状態にある電池蓋ユニット２６のロックレバー３７を矢印Ａ方向に移動させる操作を行うことでロック解除を行うと、電池蓋ユニット２６はスライドが可能な状態となる。
【００４９】
操作者が電池蓋ユニット２６を図４の閉状態から実際にスライドさせると、電池蓋ユニット２６は図５の状態となる。図５は電池蓋ユニット２６を矢印Ｂ方向にスライド移動させた状態を示している。電池蓋ユニット２６がスライドし終わると、捩じりコイルバネ３３の付勢力により、電池蓋ユニット２６が図５の状態から軸部材４０（図１４参照：後述）を中心に矢印Ｃ方向に回動し、図６の開状態となる。
【００５０】
即ち、電池蓋ユニット２６は、操作者の上記操作により図５の状態から捩じりコイルバネ３３（後述）の付勢力により自動的に図６の状態に跳ね上がるように構成されている。図６の状態で、電池ケース２１に対する電池の入れ換え、外部メモリ（記録媒体）の入れ換えを行うことができるようになる。
【００５１】
電池蓋ユニット２６を閉じる場合の操作は、開ける場合の操作の逆で、操作者は図６の状態にある電池蓋ユニット２６を矢印Ｃ方向とは逆方向に回動して閉じることで図５の状態とし、電池蓋ユニット２６を矢印Ｂ方向とは逆方向へ指で押す。電池蓋ユニット２６が図５の状態から図４の状態（閉じ位置）までくると、ロックレバー３７が圧縮コイルバネ３８（図１０参照）の付勢力により自ずと図５の位置から図４の位置まで戻る。これに伴い、電池蓋ユニット２６にはスライド規制がかかるため、ロックレバー３７を操作しない限り電池蓋ユニット２６は開かなくなる。
【００５２】
次に、撮像装置の電池蓋保持開閉機構を構成する電池蓋ユニット２６について図７、図８、図９を参照しながら詳細に説明する。
【００５３】
図７は、電池蓋ユニットの斜視図である。図８は、電池蓋ユニットの上面図である。図９は、電池蓋ユニットの正面図である。
【００５４】
図７、図８、図９において、各図は共に、スライダプレート３２を電池蓋ユニット２６の電池蓋３１に対し互いが離反する方向（矢印方向）にスライドさせた状態を示している。
【００５５】
図１０は、電池蓋ユニットの分解斜視図である。
【００５６】
図１０において、電池蓋ユニット２６は、電池蓋３１、スライダプレート３２、捩じりコイルバネ３３、インナー部材３４、電池接片３５、ガード部材３６、ロックレバー３７から構成されている。
【００５７】
電池蓋３１は、樹脂製の絶縁部材から構成されており、ガイドリブ３１ａ、３１ｂ、クリック山部３１ｃ、移動規制ボス３１ｄを備えている。本実施の形態では、電池蓋３１は、電池を電池ケース２１に挿入した際に電池接片３５の荷重を受けることになり強度が要求されるため、ＰＣ（ポリカーボネート）を使用している。尚、ＰＣにガラス繊維を配合して更に強度向上を目指す場合もある。電池蓋３１は、爪部が撮像装置本体に対し係合／解除が可能に構成されている。
【００５８】
スライダプレート３２（蓋部材）は、カーリング部３２ａ、軸穴部３２ｂ、係合穴３２ｃ、移動規制穴３２ｄ、立ち壁レール部３２ｅ、３２ｆ、クリックバネ部３２ｇ、凹部３２ｈ、突入スペース３２ｉを備えている。スライダプレート３２は、導電性を有する高強度の板金部材から構成されている。本実施の形態では、スライダプレート３２は、電池蓋ユニット２６を開閉する際に蝶番部品として機能するため、電池蓋ユニット２６の剛性を上げるべくＳＵＳ（ステンレス）から形成している。尚、スライダプレート３２の強度を更に高めるため、焼き入れなどの熱処理を加えることも考えられる。
【００５９】
捩じりコイルバネ３３は、コイル部３３ａ、第１の端部３３ｂ、第２の端部３３ｃを備えている。更に、第２の端部３３ｃは、接触部３３ｄ、第１の部分３３ｅ、第２の部分３３ｆから構成されている（図１５参照）。捩じりコイルバネ３３は、導電性を有し、一方の端部が電池ケース２１に係合すると共に他方の端部がスライダプレート３２に係合し、スライダプレート３２を電池ケース２１に対して開き方向に付勢する。捩じりコイルバネ３３は、ピアノ線またはＳＵＳ線材をフォーミングすることで形成している。尚、図１０では、捩じりコイルバネ３３をスライダプレート３２に組み込んだ状態と、捩じりコイルバネ３３をスライダプレート３２に組み込む前の状態の双方を図示している。
【００６０】
スライダプレート３２には、２個所のカーリング部３２ａが設けられている。スライダプレート３２のカーリング部３２ａは、後述する軸部材４０を挿入するための軸穴部３２ｂが形成される部位である。スライダプレート３２の係合穴３２ｃは、捩じりコイルバネ３３の第１の端部３３ｂを挿入し係合するための部位である。
【００６１】
捩じりコイルバネ３３の接触部３３ｄは、捩じりコイルバネ３３の第２の端部３３ｃの先端部を内側に曲げ込むことで（曲率を有する形状に折り曲げることで）カール形状としたものである。捩じりコイルバネ３３に接触部３３ｄを設ける目的は次の２つである。１つ目の目的は、捩じりコイルバネ３３の接触部３３ｄをグランド板金２５に接触させる際に、安定的に電気的な接続をとるためである。２つ目の目的は、組立作業者が捩じりコイルバネ３３の部位を変位させながら撮像装置本体の係合部に係合させる際に、先端の鋭利部で組立作業者が怪我をしないよう配慮するためである。
【００６２】
ロックレバー３７は、電池蓋３１とスライダプレート３２のスライド移動の規制を行う部材であり、圧縮コイルバネ３８を挿入可能な軸部を備える。電池蓋３１に形成された穴部からロックレバー３７の一部を露出させることで、操作者がロックレバー３７を操作できるようになされている。圧縮コイルスバネ３８は、ロックレバー３７を常に一定の方向へ付勢する役割を有する。組立時には、ロックレバー３７に圧縮コイルバネ３８を組み付け、ロックレバー３７及び圧縮コイルバネ３８を電池蓋３１に載せるようにして組み付ける。
【００６３】
電池接片３５は、高導電性で弾性領域の広い銅合金からなる板金により構成されている。電池接片３５の表面は、錆を防止する目的と導電性の向上を図る目的でめっきが施されている。ガード部材３６は、絶縁体である樹脂部材により構成されている。ガード部材３６から突出したボスを電池接片３５の穴部に嵌合させ、熱カシメや超音波溶着などを行うことで、ガード部材３６を電池接片３５に固着する。ガード部材３６は、単３電池などの円筒形型電池が電池ケース２１に逆装填された時に電池接片３５と電池が接触しないようにする目的で配設されているものである。
【００６４】
インナー部材３４は、絶縁性を有する樹脂により構成されている。インナー部材３４から突出した２箇所のボスを電池接片３５の穴部に嵌合させ、熱カシメや超音波溶着などを行うことで、インナー部材３４を電池接片３５に固着する。インナー部材３４は、導電体である電池接片３５と導電体であるスライダプレート３２を隔離し絶縁する役割を有する。後述するが、撮像装置の隙間から静電気が侵入した際には、スライダプレート３２が静電気を受け、捩じりコイルバネ３３を通じて撮像装置本体のグランド板金２５へ導くよう構成されている。これにより、静電気が電池接片３５に印加されることはない。
【００６５】
次に、電池蓋ユニット２６においてスライダプレート３２に捩じりコイルバネ３３を組み込む方法について説明する。
【００６６】
捩じりコイルバネ３３の第１の端部３３ｂを、スライダプレート３２の係合穴３２ｃに挿入し、捩じりコイルバネ３３のコイル部３３ａを、スライダプレート３２の２箇所のカーリング部３２ａの間に挿入する。コイル部３３ａとカーリング部３２ａとの隣り合う部分の隙間は十分に少ないことと、第１の端部３３ｂが係合穴３２ｃに係合していることから、捩じりコイルバネ３３はスライダプレート３２から簡単に抜け落ちてしまうことはない。
【００６７】
次に、電池蓋ユニット２６において各部品を組み込む方法について説明する。
【００６８】
まず、圧縮コイルバネ３８をロックレバー３７の軸部に挿入し、圧縮コイルバネ３８を若干、圧縮チャージさせながら電池蓋３１に載せる。ロックレバー３７には、ロックレバー３７が電池蓋３１に対し図１０の矢印Ｄ―Ｅ方向にスライド可能となるように、ガイド部及び移動規制部が設けられている。次に、捩じりコイルバネ３３が組み付けられたスライダプレート３２を電池蓋３１の上に載せる。この時、スライダプレート３２の立ち壁レール部３２ｅ、３２ｆが電池蓋３１から突出したガイドリブ３１ａ、３１ｂにそれぞれ嵌合し、ガイドされる。これにより、スライダプレート３２は図１０の矢印Ｆ−Ｇ方向にスライド可能となる。
【００６９】
尚、スライダプレート３２の移動規制穴３２ｄに電池蓋３１の移動規制ボス３１ｄが挿入されることで、スライダプレート３２の電池蓋３１に対する矢印Ｆ−Ｇ方向における移動量が規制されることになる。また、電池蓋３１に対しスライダプレート３２が移動する際、スライダプレート３２のクリックバネ部３２ｇが電池蓋３１のクリック山部３１ｃを乗り越えるため、節度感（クリック感）がある移動となる。
【００７０】
上記の捩じりコイルバネ３３が組み付けられたスライダプレート３２を電池蓋３１に載せた後、電池接片３５とガード部材３６が組み込まれたインナー部材３４を電池蓋３１に一部係合させながら載せ、最後にねじ３９ａ、３９ｂを締め込む。これにより、電池蓋ユニット２６が完成する。完成状態は図７、図８、図９で示している。ここまでくると、捩じりコイルバネ３３はスライダプレート３２とインナー部材３４に挟まれ、尚且つ、捩じりコイルバネ３３の第１の端部３３ｂがスライダプレート３２の係合穴３２ｃに係合しているため、抜け落ちてしまうことは無い。
【００７１】
次に、電池蓋ユニット２６におけるロックレバー３７とスライダプレート３２の機構について説明する。
【００７２】
上述したように、ロックレバー３７により電池蓋３１に対するスライダプレート３２の移動が規制されている。電池蓋３１が撮像装置本体に対し閉じている状態では、ロックレバー３７は図１０の矢印Ｅ方向に移動した位置にあり、この時、スライダプレート３２は矢印Ｇ方向に移動した位置にある（この状態を初期位置とする）。この状態では、ロックレバー３７の凸部３７ａがスライダプレート３２の凹部３２ｈに収まっており、スライダプレート３２は矢印Ｆ方向へは移動が不能な状態となっている。
【００７３】
操作者がロックレバー３７を矢印Ｄ方向にスライドさせると、ロックレバー３７の凸部３７ａがスライダプレート３２の凹部３２ｈから外れるため、スライダプレート３２は矢印Ｆ方向に移動が可能な状態となる。スライダプレート３２の移動は操作者が電池蓋３１を指で押す（スライドさせる）ことで行われる。操作者がスライダプレート３２を矢印Ｆ方向に移動させ、ロックレバー３７の凸部３７ａが一度、スライダプレート３２の凹部３２ｈから外れると、ロックレバー３７の凸部３７ａはスライダプレート３２の突入スペース３２ｉに入り込む。
【００７４】
これに伴い、ロックレバー３７は圧縮コイルバネ３８により矢印Ｅ方向に付勢されているにも関わらず、矢印Ｅ方向には移動できなくなる。操作者により電池蓋３１が矢印Ｇ方向に引き出されれば、撮像装置本体と電池蓋３１の爪部との係合が解除され、捩じりコイルバネ３３の作用により、電池蓋３１は自ずと回動を始めるように構成されている（図６参照）。
【００７５】
電池蓋３１を撮像装置本体に対し閉じる際は、上述した、電池蓋３１を撮像装置本体に対し開く動作とは逆の動作となる。電池蓋３１を撮像装置本体に対し閉じきると、再びロックレバー３７の凸部３７ａがスライダプレート３２の凹部３２ｈに入り込み、スライダプレート３２の矢印Ｆ−Ｇ方向の移動が規制され、移動が不能な状態となる。
【００７６】
電池蓋ユニット２６を撮像装置本体に組み込む際には、スライダプレート３２を図１０の矢印Ｆ方向に引き出した状態で行う（図７、図８、図９参照）。尚、図９において破線で示す部分は、スライダプレート３２が電池蓋３１の内部へ押し込まれた状態を示している。この状態（スライダプレートが実線の状態）で無いと、捩じりコイルバネ３３の第２の端部３３ｃが電池蓋３１に接触する可能性がある。その場合は、電池蓋ユニット２６を撮像装置本体へ組み付ける際、捩じりコイルバネ３３のコイル部３３ａが中心ズレを起こし、スライダプレート３２の軸穴部３２ｂに対する軸部材４０の挿入が困難となる。
【００７７】
次に、電池蓋ユニット２６における捩じりコイルバネ３３の取り付け状態について図１１、図１２、図１３を参照しながら説明する。
【００７８】
図１１は、電池ケースの部分正面図である。図１２は、電池ケースの部分上面図である。図１３は、電池ケースの部分斜視図である。
【００７９】
図１１、図１２、図１３において、捩じりコイルバネ３３の状態を分かりやすくするために、撮像装置本体の主構造体である電池ケース２１、スライダプレート３２、捩じりコイルバネ３３に限定して図示している。電池ケース２１は、樹脂部材から構成され、後述する軸部材４０を保持する軸挿入部２１ｃ、２１ｄ、軸部材４０を挿入する軸挿入穴２１ｂ、捩じりコイルバネ３３の第２の端部３３ｃを係合するバネかけ部２１ａ（係合部）が一体的に形成されている。尚、電池ケース２１のバネかけ部２１ａは、組立作業（バネ掛け作業）を容易にするため、前カバー１により覆われる面が開放されている。
【００８０】
スライダプレート３２の２個所のカーリング部３２ａは、電池ケース２１の軸挿入部２１ｃ、２１ｄの間に挿入されており、互いにこの挿入部位によりガイドされる。これにより、電池蓋ユニット２６の回動が円滑に行われる。また、捩じりコイルバネ３３の第１の端部３３ｂは、スライダプレート３２の係合穴部３２ｃに係合させる。捩じりコイルバネ３３の第２の端部３３ｃは、スライダプレート３２の軸穴部３２ｂに対する軸部材４０（図１４参照）の挿入後に図１１の２点鎖線の方向に変位させ、電池ケース２１のバネかけ部２１ａに係合させる。
【００８１】
捩じりコイルバネ３３の接触部３３ｄは、捩じりコイルバネ３３の第２の部分３３ｆの先端に設けられており（図１５参照）、電池ケース２１のバネかけ部２１ａに係合している状態となっている。捩じりコイルバネ３３の接触部３３ｄは、後に組み込まれるグランド板金２５を押圧することで電気的に接続されるよう構成されている。
【００８２】
グランド板金２５は、導電性を有する薄板板金から構成されており、メカグランド部材である金属シャーシ６を介してメイン配線基板５１に電気的に接続されている。グランド板金２５については後述する。グランド板金２５と捩じりコイルバネ３３との間の接触力は、捩じりコイルバネ３３の第２の端部３３ｃのグランド板金２５に対するチャージ量、捩じりコイルバネ３３の線径、Ｌ寸法により変更が容易である。Ｌ寸法とは、電池ケース２１のバネかけ部２１ａから捩じりコイルバネ３３の接触部３３ｄまでの距離である。
【００８３】
図６で説明したように、捩じりコイルバネ３３の付勢力により電池蓋ユニット２６は自動的に回動して跳ね上がるわけである。電池蓋ユニット２６を回動させる付勢力と、捩じりコイルバネ３３のグランド板金２５に対する接触力とは、それぞれ別々に設定できるように構成されている。そのため、捩じりコイルバネ３３とグランド板金２５との間の接触力を適正に保つことが可能となる。
【００８４】
これにより、金属からなるスライダプレート３２、軸部材４０、捩じりコイルバネ３３を、メカグランド部材である金属シャーシ６に電気的に接続させることができ、電気的に浮遊した（グランドに接続されていない）金属部品を無くすことができる。その結果、静電気に強い電池蓋保持開閉機構となる。
【００８５】
次に、本実施の形態に係る撮像装置において電池蓋ユニット２６と撮像装置本体との取り付けについて図１及び図１４を参照しながら説明する。
【００８６】
図１は、本実施の形態に係る撮像装置の電池蓋ユニットを装置本体に取り付ける前の状態を示す部分展開斜視図である。図１４は、電池蓋ユニットを撮像装置本体に取り付けた状態を示す部分斜視図である。
【００８７】
図１、図１４において、電池ケース２１は、上述したように金属シャーシ６に対し、ねじ２２ａ、２２ｂにより強固に締結されている。電池ケース２１と金属シャーシ６が撮像装置本体の主構造体である。電池蓋ユニット２６を電池ケース２１に組み込む方法について説明する。まず、電池蓋ユニット２６の構成部材であるスライダプレート３２のカーリング部３２ａ、３２ａを、電池ケース２１の軸挿入部２１ｃ、２１ｄの間に挿入する。この時点では、捩じりコイルバネ３３には付勢力が発生するような変位は一切おきていない。
【００８８】
上記挿入を行った状態では、電池ケース２１の軸挿入穴２１ｂ、スライダプレート３２の軸穴部３２ｂ、捩じりコイルバネ３３のコイル部３３ａの内径部の中心は略一致しており、これらの軸部材挿入箇所に金属製の軸部材４０を挿入する。軸部材挿入箇所の中心は略一致しているため、軸部材４０の挿入に関わる組立工程はいたって簡単であり、労を要することはない。図１４では、軸部材４０を軸部材挿入箇所に挿入した状態を示している。
【００８９】
最後に、捩じりコイルバネ３３の第２の端部３３ｃを図１４の２点鎖線で示す矢印の方向へ変位させ、電池ケース２１のバネかけ部２１ａに係合させることで、捩じりコイルバネ３３の取り付けが完了となる。尚、軸部材挿入箇所に挿入された軸部材４０は、電池蓋ユニット２６に対して後に組み込まれる前カバー１や後カバー３で蓋をされるため抜けなくなる。
【００９０】
次に、電池蓋ユニット２６の捩じりコイルバネ３３の第２の端部３３ｃについて図１５を参照しながら詳細に説明する。
【００９１】
図１５は、捩じりコイルバネを示す図である。
【００９２】
図１５において、捩じりコイルバネ３３は、上述したように、コイル部３３ａ、第１の端部３３ｂ、第２の端部３３ｃを備えている。更に、第２の端部３３ｃは、曲率を持つように折り曲げられた接触部３３ｄ、第１の部分３３ｅ、第２の部分３３ｆから構成されている。図中、捩じりコイルバネ３３のコイル部３３ａの中心、すなわち回動軸の軸方向を一点鎖線で示しているが、これは上記の軸部材４０の軸中心と一致している。
【００９３】
捩じりコイルバネ３３の第１の部分３３ｅは、コイル部３３ａの中心、すなわちスライダプレート３２の回動軸の軸方向と直交する方向に延出されている。更に、捩じりコイルバネ３３の第２の部分３３ｆは、第１の部分３３ｅの末端から、後に組み込まれる前カバー１の方向に向けて曲げられている。捩じりコイルバネ３３の接触部３３ｄは、第２の部分３３ｆの末端に形成される。
【００９４】
このように、捩じりコイルバネ３３の第２の端部３３ｃを、第１の部分３３ｅ、第２の部分３３ｆ、接触部３３ｄから構成している理由は、後に組み込まれる前カバー１に対して押圧された時のチャージ状態の形状が省スペース形状で済むからである。
【００９５】
また、捩じりコイルバネ３３の接触部３３ｄを曲率を持たせて曲げている理由は、捩じりコイルバネ３３を矢印Ｈ方向からチャージした際に接触部３３ｄが円滑に変位するよう摺動抵抗を抑えるためである。
【００９６】
また、捩じりコイルバネ３３の接触部３３ｄの先端部を丸めている理由は、図１０で説明したように組立時に捩じりコイルバネ３３の第２の端部３３ｃを聞いて撮像装置本体に係合する際、作業者が触れたときに怪我をしないようにするためである。
【００９７】
捩じりコイルバネ３３は次の２種の付勢力を有するよう構成されている。捩じりコイルバネ３３の第１の付勢力は、電池蓋３１を開き方向へ回動軸を中心に回動させる付勢力である。捩じりコイルバネ３３の第２の付勢力は、矢印Ｈ方向から捩じりコイルバネ３３の第２の端部３３ｃの接触部３３ｄを押圧したときに復帰する付勢力である。
【００９８】
本実施の形態では、第２の付勢力は、第１の付勢力とは方向が異なっている。第２の付勢力は、第１の付勢力に関わる電池蓋３１（スライダプレート３２）の回動中心軸の軸方向と同じ方向（もしくは略同じ方向）に付勢力を発生するように構成されている。また、本実施の形態では、第１の付勢力と第２の付勢力の付勢方向や付勢力を別々に設定できるように構成されている。これにより、後述する前カバー１に対する捩じりコイルバネ３３の接触力を、電池蓋３１の開閉の状態に関わらず一定にし、安定させることが可能になっている。
【００９９】
次に、撮像装置の前カバー１に取り付けられた導電部材であるグランド板金２５について図１６を参照しながら説明する。
【０１００】
図１６は、前カバーユニットを撮像装置本体の内部側から見た場合の斜視図である。
【０１０１】
図１６において、グランド板金２５は、導電性を有する薄板板金として構成されており、接触部２５ａ、突出部２５ｂを備えている。グランド板金２５は、前カバー１に対し位置決めされ固定されている。グランド板金２５は、めっきなどの導電性を有する表面処理が施された化粧リング２に接触部２５ａを介して弾性的に接触している。また、グランド板金２５は、後に組み込まれる金属シャーシ６に突出部２５ｂが当接した状態で外装ねじにより固定されることで、安定的に電気的に接続される。後で詳述するが、グランド板金２５には、捩じりコイルバネ３３の第２の端部３３ｃの接触部３３ｄが接触し電気的に導通する。
【０１０２】
次に、電池蓋ユニット２６の捩じりコイルバネ３３がグランド板金２５に接触している状態について図１７、図１８を参照しながら説明する。
【０１０３】
図１７は、撮像装置本体の部分正面図である。図１８は、図１７の矢視Ｊ−Ｊ線に沿う断面図である。
【０１０４】
図１７、図１８において、図１７では本発明に関連する部材のみ示しており、図１８ではスライダプレート３２の回動軸を１点鎖線で示している。また、捩じりコイルバネ３３の第２の端部３３ｃについて、前カバー１の組み付け前の自由状態と、前カバー１の組み付け後のチャージ状態をそれぞれ破線で示している。捩じりコイルバネ３３の第２の端部３３ｃは、前カバー１を組み付けることで、スライダプレート３２の回動軸の軸方向と略同一方向である矢印Ｋ方向にチャージ（変位）される。
【０１０５】
捩じりコイルバネ３３には、このチャージの反力で前に説明した第２の付勢力（図１５の矢印Ｈ方向から捩じりコイルバネ３３の第２の端部３３ｃの接触部３３ｄを押圧したときに復帰する付勢力）が発生する。これにより、捩じりコイルバネ３３は、グランド板金２５に安定的に接触し電気的に接続される。
【０１０６】
反復の説明になるが、捩じりコイルバネ３３の第２の付勢力は、スライダプレート３２の方向への第１の付勢力（電池蓋３１を開方向へ回動軸中心に回動させる付勢力）とは独立的で、回動方向とは異なる方向に向いている。更に、第２の付勢力は、上述したようにスライダプレート３２の回動軸の軸方向と同じ方向（もしくは略同じ方向）となっている。即ち、捩じりコイルバネ３３が接触部３３ｄによりグランド板金２５を押圧する方向と、捩じりコイルバネ３３がスライダプレート３２に作用する付勢力を得るためのチャージ方向とを異ならせている。
【０１０７】
上述した構成とすることで、捩じりコイルバネ３３は、電池蓋３１の回動方向及び回動方向とは異なる方向に該捩じりコイルバネ３３の付勢力を持たせることが可能となる。そのため、電池蓋３１の回動力（付勢力）とは別に、前カバー１に設けられた導電性を有するグランド板金２５に対する捩じりコイルバネ３３の接触力を設定することが可能となる。これにより、捩じりコイルバネ３３のグランド板金２５に対する接触力を常時安定させ、静電気などの外来ノイズに影響を受けにくい撮像装置を提供することが可能となる。
【０１０８】
以上説明したように、本実施の形態によれば以下の構成と作用及び効果を奏する。電池蓋３１と捩じりコイルバネ３３を撮像装置本体に組み込む際と、軸部材４０を電池ケース２１、スライダプレート３２、捩じりコイルバネ３３の軸部材挿入箇所に挿入する際に、捩じりコイルバネ３３には付勢力が発生しないよう構成している。これにより、電池ケース２１の軸挿入穴２１ｂ、スラーダープレート３２の軸穴部３２ｂ、捩じりコイルバネ３３のコイル部３３ａの内径部の中心を簡単に合わせることができるため、特殊な工具等を要さず難なく軸部材４０を挿入することが可能となる。
【０１０９】
また、捩じりコイルバネ３３の第２の端部３３ｃを電池ケース２１のバネかけ部２１ａに係合する際、バネかけ部２１ａの前カバー１で覆う面が開放されているため、組立作業者が労を要さずバネ掛け作業を行うことが可能となる。その後、電池ケース２１のバネかけ部２１ａの開放部を前カバー１で覆うことで該バネかけ部２１ａに捩じりコイルバネ３３の第２の端部３３ｃが確実に係合するため、捩じりコイルバネ３３の抜け落ちを防止することが可能となる。これにより、電池蓋３１と捩じりコイルバネ３３が撮像装置本体に対し軸部材４０により軸支され回動可能な状態になる。
【０１１０】
また、捩じりコイルバネ３３の接触部３３ｄが前カバー１に取り付けたグランド板金２５を押圧する方向と、捩じりコイルバネ３３が電池蓋３１に作用する付勢力を得るためのチャージ方向とを異ならせるように構成している。そのため、捩じりコイルバネ３３における、電池蓋３１に対する回動力（付勢力）とは別に、グランド板金２５に対する接触力を設定することが可能となる。これにより、グランド板金２５に対する接触力を常時安定させ、静電気などの外来ノイズに影響を受けにくくすることが可能となる。
【０１１１】
また、捩じりコイルバネ３３の第１の部分３３ｅの末端につながる第２の部分３３ｆの先端の接触部３３ｄを曲率を有する形状に折り曲げているため、作業者が接触部３３ｄに触れた際の配慮となると共に組立作業性を良好とすることが可能となる。更に、捩じりコイルバネ３３の接触部３３ｄによりグランド板金２５を押圧する構造において、省スペースで安定した接触圧を保つことが可能となり、捩じりコイルバネ３３とグランド板金２５の安定した電気的な接続が可能となる。
【０１１２】
以上をまとめると、捩じりコイルバネ３３の組み付け時に作業者が工具等を使用せずに簡便な組み付けが可能で、捩じりコイルバネ３３のグランド板金２５に対する押圧力（接触力）を安定させ、静電ノイズに強い構造の撮像装置を提供することが可能となる。
【０１１３】
〔他の実施の形態〕
上記実施の形態では、撮像装置（カメラ）の電池蓋の開閉機構を例に挙げたが、本発明はこれに限定されるものではない。本発明は、機器本体に対して開閉可能な蓋部材を備えるビデオカメラや各種の電子機器に適用することが可能である。
【図面の簡単な説明】
【０１１４】
【図１】本発明の実施の形態に係る撮像装置の電池蓋ユニットを装置本体に取り付ける前の状態を示す部分展開斜視図である。
【図２】撮像装置の構成部品を正面側から見た場合の分解斜視図である。
【図３】撮像装置の構成部品を背面側から見た場合の分解斜視図である。
【図４】電池蓋ユニットを閉じた状態を示す部分斜視図である。
【図５】電池蓋ユニットをスライドさせた状態を示す部分斜視図である。
【図６】電池蓋ユニットを開いた状態を示す部分斜視図である。
【図７】電池蓋ユニットの斜視図である。
【図８】電池蓋ユニットの上面図である。
【図９】電池蓋ユニットの正面図である。
【図１０】電池蓋ユニットの分解斜視図である。
【図１１】電池ケースの部分正面図である。
【図１２】電池ケースの部分上面図である。
【図１３】電池ケースの部分斜視図である。
【図１４】電池蓋ユニットを撮像装置本体に取り付けた状態を示す部分斜視図である。
【図１５】捩じりコイルバネを示す図である。
【図１６】前カバーユニットを撮像装置本体の内部側から見た場合の斜視図である。
【図１７】撮像装置本体の部分正面図である。
【図１８】図１７の矢視Ｊ−Ｊ線に沿う断面図である。
【図１９】従来例に係る撮像装置の電池蓋を閉じた状態を示す斜視図である。
【図２０】撮像装置の電池蓋を開いた状態を示す斜視図である。
【符号の説明】
【０１１５】
１  前カバー
２１  電池ケース
２１ａ  バネかけ部
２１ｂ  軸挿入穴
２１ｃ、２１ｄ  軸挿入部
２５  グランド板金
２５ａ  接触部
２５ｂ  突出部
２６  電池蓋ユニット
３１  電池蓋
３２  スライダプレート
３２ａ  カーリング部
３２ｂ  軸穴部
３２ｃ  係合穴
３２ｄ  移動規制穴
３２ｅ、３２ｆ  立ち壁レール部
３２ｇ  クリックバネ部
３２ｈ  凹部
３２ｉ  突入スペース
３３  捩じりコイルバネ
３３ａ  コイル部
３３ｂ  第１の端部
３３ｃ  第２の端部
３３ｄ  接触部
３３ｅ  第１の部分
３３ｆ  第２の部分
【図１】
2010049177.tif 000003
【図２】
2010049177.tif 000004
【図３】
2010049177.tif 000005
【図４】
2010049177.tif 000006
【図５】
2010049177.tif 000007
【図６】
2010049177.tif 000008
【図７】
2010049177.tif 000009
【図８】
2010049177.tif 000010
【図９】
2010049177.tif 000011
【図１０】
2010049177.tif 000012
【図１１】
2010049177.tif 000013
【図１２】
2010049177.tif 000014
【図１３】
2010049177.tif 000015
【図１４】
2010049177.tif 000016
【図１５】
2010049177.tif 000017
【図１６】
2010049177.tif 000018
【図１７】
2010049177.tif 000019
【図１８】
2010049177.tif 000020
【図１９】
2010049177.tif 000021
【図２０】
2010049177.tif 000022